Podtech/llm-jp-corpus-v4-ja_patent huggingface dataset:
(57)【要約】【課題】現行のつまようじの使用過程における口腔内の食べかすを取るという主機能の不充分性と非安全性の克服、および現行のつまようじの大量食を供給した後の残飯廃棄処理過程や残飯再利用のための選別上の困難性の克服【解決手段】適当に細く、乾燥することにより茎の中が、空洞状態になる（円筒形）イネ科の野草を、使用することによって解決される。それは、木材より表面がなめらかで、横方向のかなりの弾力性と乾燥して縦方向に力を加えた場合多少強度はましているものの適当に折れやすいということに依っている。（イネ科の中には乾燥させても空洞にならないものもあるが、木材よりは弾力性があり少し劣るが利用可能である。）【選択図】　図１
2004008635.tif 000002
【特許請求の範囲】
【請求項１】
イネ科の野草の茎を使用した楊子
【発明の詳細な説明】
【０００１】
【発明が属する技術分野】
本発明は、日常的な歯および口腔内衛生の為に、歯垢や歯と歯の隙間に挟まっているたべかすを、より安全で確実に取り除こうとする技術。又結果として大量調理食後残飯廃棄処理もより簡単になる技術。
【０００２】
【従来の技術】
木材でつくられているつまようじと糸でつくられた糸楊子があります。
【０００３】
【発明が解決しようとする課題】
木材でつくられているつまようじは、先端以外は歯の隙間に比べて太く、かつ材質に弾力性がないので歯と歯の隙間を、とおらない。細くしようとすると材質が硬い為歯肉を、傷つけやすいものになる。糸楊子は、歯の根元は隙間が有っても、それ以外のところが、しまっている場合は、とおすことができない。
【０００４】
【課題を解決するための手段】
木で作られた現行のつまようじより全体（先端部部分ではなく）を細くすること。また材質を表面がなめらかで、弾力性をもち、縦方向の加力にたいして折れにくいものでなくてはならない。イネ科の野草の茎の一部は、上記内容を１００％満足させる。イネ科茎は、円形で内部が空洞になっており（特に乾燥させた場合顕著）歯の隙間の形に応じて自らを
変えそこを通過することができる。
【０００５】
【発明の実施の形態】
カニツリ草、カモジ草等のイネ科の野草を、採取する。水洗いして１、２日天日乾燥させる。その中から直径１．５ｍｍ〜０．５ｍｍの部分を選び長さ６０ｍｍにカットする。その後エタノール約７５％程度の水溶液につけて殺菌し、引き上げ乾燥させ衛生的な手袋を付けた手で包装物の中にいれて商品として出荷する。
【０００６】
【実施例】
図１は、乾燥させたカニツリ草を、６０ｍｍにカットした縦断面図である。
図２は、同じく横断面図である。
【０００７】
【発明の効果】
現行のつまようじと比較して、一つは歯の隙間を完全に通過させることができるようになり歯につまったたべかすがより多くに取れるということ。二つ目に歯冠補綴物の損傷や、歯肉の炎傷がほとんどなくなること。三つ目に大量食を供給した後の容器洗浄残版処理の終わりの過程で、つまようじは洗浄機の網の目や、水槽のあみの目につまりそれをとるのが、比較的やっかいなものであるが、草楊子が草で作られており残飯と同化されるためそれが解消されると思われる。残飯を家畜用のえさに使用する場合も同様に残飯の中からつまようじを拾い出す必要がなくなるので処理が、簡単になると思われる。
【図面の簡単な説明】
【図１】直径１．５ｍｍのカニツリ草の茎のなかが、１．１ｍｍぐらいのきれいな空洞になっている状態を示した縦断面図である。
【図２】直径１．５ｍｍのカニツリ草の茎のなかが、１．１ｍｍぐらいのきれいな空洞になっている状態を示した横断面図である。
【図１】
2004008635.tif 000003
【図２】
2004008635.tif 000004
(57)【要約】【目的】シロアリのもつ敏感な聴覚に、危険音（超音波を発信）を察知させて人家への侵入を忌避させる。【構成】電源、高周波用スピーカー、連続または断続的に音を発信するメモリー【特許請求の範囲】
【請求項１】
シロアリが嫌う音波を発信する装置
【発明の詳細な説明】
【０００１】
【産業上の利用分野】この発明は音波を使ってシロアリを忌避するものである
【０００２】
【従来の技術】シロアリは昆虫であるが、ミツバチやアリのような膜支羽目ではない、その科学的な分類はかなり難しく、まだ決定的には確立していないようである。しかし一般的には直支羽目、脈支羽目、噛虫目などの中に組み入れられている。シロアリは女王アリを中心に大家族で集団生活を営んでおり、各々が大食漢であることはよく知られております。それ故に、主食の木だけにとどまらず布、紙、コンクリート、ゴム、ビニールなどなんでもかじってしまいます。中でもイエヒメアリやヤマトシロアリは湿材木材害虫とも呼ばれ、人家にだけ巣をつくり、生存分布は北は青森地方から南はオーストラリアの範囲で生息しています。これらのシロアリは、人家に巣を作り、そのことにより多大の被害をあたえ、時には人家を崩壊させることもあります。これらシロアリからの被害を防ぐために、駆除対策と予防対策が研究されております。それは薬剤、ガスなどで駆除、予防をしていますが、散布する薬剤、ガスが強力であり毒性が強いため効果があると同時に人間の身体にも少なからず危険が伴います。
【０００３】
【発明が解決しようとする課題】本発明は人家へのシロアリの被害、影響を軽減させようとするものである
【０００４】
【課題を解決するための手段】一般にアリには目も触角もあり、意志伝達手段として主に触角を使っています。しかし、シロアリには、多少音楽的なそして奇妙な素質があります。それはシロアリは周囲を偵察し、口笛を吹くことがあり、仲間のシロアリはそれを聞くことができるということです。さらに、これらの音は警報であり、救助を求める叫びであり、一種の声であるといわれています。昆虫学者は、これらの音を聞いてシロアリは、アリのように単に触角ばかりでなく多少分節的な言語を用いて意志を伝達していると考えています。だから完全に耳が聞こえないようにみえるミツバチやアリと違って、敏感な聴覚をもつ、これらシロアリの集団生活においては、聴覚がかなり重要な役割を果たしていると思われます。本発明はシロアリが発する危険信号音を研究し、その音を発信し敏感な聴覚をもつシロアリに発信音を感知させる。
【０００５】
【実施例】シロアリは攻撃型の昆虫ではありません。危険を察知したら、寄りつかなくなったり、巣にもどり、野外活動を中止します。
【０００６】
【発明の効果】このように、音波発信機を人家の床下などに配置し、シロアリの危険音を発信すると、敏感な聴覚をもつシロアリは仲間からの警報と認識し寄りつかなくなる。この（超音波）音響による装置でのシロアリ忌避は、薬剤散布やガス等での駆除予防のような毒性はありません。ですから、人的被害への影響も少ないことで安全です。この装置を使うことにより以上の二重の効果が期待できる。
(57)【要約】【課題】誰でも簡単に素早く安全に豆腐を一定のサイズにカット出来る上大量に消費する、ホテル、旅館や食堂に役立つ豆腐カッターを作るのが目的である。【解決手段】カッターケースの内部にカット線（細いピアノ線またはタングステン）を縦横に張ることによって一定のサイズの豆腐が簡単にカット出来る様にした。【特許請求の範囲】
【請求項１】
本体は長方形の開口部を設けその内部にピアノ線（又はタングステン）を縦横に張り包丁を一切使わず豆腐を簡単に一定のサイズにカット出来る構成の豆腐カッター
【発明の詳細な説明】
【０００１】
【発明の属する技術分野】
この発明は誰でも簡単に素早く同一サイズの豆腐をカット出来る構造
【０００２】
【従来の技術】
従来はマナ板の上か手のひらで豆腐をカットしていたが豆腐が柔らかい為中々うまくカットが出来ない上、手を切る危険性もある。
【０００３】
【発明が解決しようとする課題】
従来は手でカットする為一定のサイズに切るのが困難でこれを素早く安全に誰でも（子供でも）簡単にカット出来ることが課題であつた。
【０００４】
【課題を解決する為の手段】
本体の内部に縦横に張ったピアノ線の上に豆腐を置いて軽く押し込むと豆腐が縦にカットされ、次に横をカットする器具を右に引けば豆腐はサイコロ状にカットされる。
【０００５】
【発明の実施の形態】
実施する時は豆腐をカットケースの縦横に張ったピアノ線の上に置き軽く押し込んで横の開口部のガイドに添って横カット器具を弾けば一定のサイズの豆腐が出来る。
【０００６】
【発明の効果】
包丁を一切使わず誰でも簡単に素早く安全にカット出来るため子供でも上手にカットでき一般の家庭は勿論、大量に豆腐をカットするホテルや旅館、食堂のコックさん達の作業に最適である。
【図面の簡単な説明】
【図１】本体の平面図
【図２】本体の正面図
【図３】本体の斜視図
【図４】断面図
【符号の説明】１はピアノ線　２は横のガイドの開口部
Ａは横のカット器具
【図１】
2004008205.tif 000002
【図２】
2004008205.tif 000003
【図３】
2004008205.tif 000004
【図４】
2004008205.tif 000005
(57)【要約】【課題】非常事態においての食事には、電気・ガス・水道・薪等が使用できないので、そのための食事が必要である。【解決手段】本発明は、上記の欠点を除去し解決するために、主食料品と副食料品を共に長期間保存ができるように調理し、密封缶詰にしたもので、その蓋を開けて、何時でも何処でも緊急利用できるものである。【選択図】　図２
2004008208.tif 000002
【特許請求の範囲】
【請求項１】
主食料品と副食料品を共に長期間保存出来るように食品衛生の諸規則を守って調理し、缶詰用のアルミ缶に一緒に詰め、熱を加えて殺菌し、缶詰にし、必要時にその缶詰を開け、何時でも何処でも簡単に食される主食料品と副食料品を調理し詰合せた混飯缶詰。
【発明の詳細な説明】
【０００１】
【発明の属する技術分野】
本発明は、食用缶詰に関するものである。
【０００２】
【従来の技術】
従来の缶詰は、副食料品類が多く、場合によっては煮炊きを要するものがあり、即席の便が無く、また別に主食用も必要とされている。
【０００３】
【発明が解決しようとする課題】
主食料品と副食料品が一緒にあり、なお非常時に煮炊きの必要がなく、直ぐ利用できるものが望まれる。
【０００４】
【課題を解決するための手段】
本発明は事前に、主食料品と副食料品を調理し一緒にして、殺菌後、缶詰にし何時でも何処でも簡単に栄養分の食事ができるようにしたものである。
【０００５】
【発明の実施の形態】
本発明を図面によって説明すれば、缶詰の中身は、主食料品は米、副食料品は人参・大根・葱・昆布・鶏肉・椎茸・ゴマ油・塩・醤油・白砂糖等である。中身は他の副食料品を取り入れて使用することができる。
食品成分表（合計の他は、女子栄養大学出版部発行「五訂食品成分表」より抜粋）を別紙として添付する。
【０００６】
【発明の効果】
生米やインスタントラーメンは、その都度焚いたり熱湯を通さなければ食べられないが、本発明の混飯缶詰は、すでに主食料品と副食料品を調理し缶詰にしてあるので、何時でも何処でも即時簡単に栄養豊富な食事ができるので非常に有効便利である。
【図面の簡単な説明】
【図１】平面図
【図２】開缶時の中央断面図
（図の大きさは実施例で約２分の１大）
【符号の説明】
１　本発明の本体
２　缶蓋
３　開缶用把手
４　中身
【図１】
2004008208.tif 000003
【図２】
2004008208.tif 000004
(57)【要約】【課題】誰もが簡単に、綺麗に素早く手巻き寿司を作れる器具を提供する。【解決手段】複数の押し棒を扇状に連結して、すまき本体の、両端のいずれかの押し棒の下部方向に延長して、突起棒を設けたことを特徴とする。【選択図】　図１
2004008206.tif 000002
【特許請求の範囲】
【請求項１】
複数の押し棒を扇状に連結してなるすまき本体の、両端のいずれかの押し棒の下部方向に延長して、突起棒を設けたことを特徴とする手巻き寿司用すまき。
【発明の詳細な説明】
【０００１】
【発明の属する技術分野】
この発明は、家庭でよく食される円錐状の手巻き寿司を簡単に、素早く、綺麗に作るための手巻き寿司用すまきである。
【０００２】
【従来の技術】
従来は、長方形のすまきによって巻いていたのだが、不器用な人や子供には難しい作業であった。
【０００３】
【発明が解決しようとする課題】
これには、次のような不便さがあった。
（イ）　出来栄えの出来、不出来の差があった。
（ロ）　特に子供には難しい作業である。
（ハ）　形が崩れやすい。
本発明は、これらの欠点を除くためになされたものである。
【０００４】
【課題を解決するための手段】
すまきは複数の押し棒（１）を簾状にし、且つ扇形（２）をなし、その両端のいずれかの押し棒を下部方向に延長して突起棒（３）を設けた構造でなる手巻き寿司用すまきである。
【０００５】
【発明の実施の形態】
以下、本発明の実施の形態について図を用いて説明する。
押し棒（１）を簾状にし、且つ扇状の形状（２）とし、手巻き寿司用すまきの構成である押し棒（１）は、複数を糸で連結し、端部の一本を指で摘めるぐらい下方に延長した突起棒（３）からなる構造とする。
本発明は、以上のような構造でこれを使用する時、図２から図５が示すように、図２は、すまき（２）に海苔（４）やシャリ（５）やネタ（６）を載せ、さらに図３は、片方の手ですまき（２）全体を包み込み、すまき（２）の下部に突き出た一本の突起棒（３）を海苔（４）がシャリ（５）やネタ（６）全体を覆い被さる所まで移動させ押し当て、さらに図４は、すまき（２）を持っているほうの手を突起棒（３）の移動方向とは逆の方向に移動させることにより、すまき、海苔、具など全体に回転運動が生じ、図５のように円錐形の手巻き寿司が出来上がる。
【０００６】
【発明の効果】
手巻き寿司用すまきに海苔やシャリやネタを載せ片方の手で簾全体を包み込み、簾の下部に突き出た一本の突起棒の移動方向とすまきの持っている手の移動方向が逆方向に動くことにより、すまき、海苔、シャリ、ネタなど全体に回転運動が生じ、手巻き寿司が出来上がるため子供でも不器用な人でも簡単に、素早く綺麗な円錐型の手巻き寿司が出来る。
【図面の簡単な説明】
【図１】本発明の全体図である。
【図２】本発明の使用図１
【図３】本発明の使用図２
【図４】本発明の使用図３
【符号の説明】
１押し棒
２すまき本体
３突起棒
４海苔
５シャリ
６ネタ
【図１】
2004008206.tif 000003
【図２】
2004008206.tif 000004
【図３】
2004008206.tif 000005
【図４】
2004008206.tif 000006
【図５】
2004008206.tif 000007
【手続補正書】
【提出日】平成14年9月3日(2002.9.3)
【手続補正１】
【補正対象書類名】明細書
【補正対象項目名】図面の簡単な説明
【補正方法】変更
【補正の内容】
【図面の簡単な説明】
【図１】本発明の全体図である。
【図２】本発明の使用図１
【図３】本発明の使用図２
【図４】本発明の使用図３
【図５】本発明の使用図４
【符号の説明】
１押し棒
２すまき本体
３突起棒
４海苔
５シャリ
６ネタ
(57)【要約】【課題】従来の綿に比して、保温性を高めるばかりでなく蓄熱性も有し、寝具体の熱を寝具外部に放散することを少なくした詰物を用いた寝具を得る。【解決手段】表面にチタンをスパッタリング加工した布帛の前記表面を使用者の身体側に置き、該布帛の身体より遠い側に詰綿を置き、これらを側地で囲ってなる寝具とした。そして、詰綿はポリエステル綿とし、また、遠赤外線放射セラミックを繊維に練り込んだ綿を詰綿として一部又は全部に使用している。【選択図】　　　　図１
2004008229.tif 000002
【特許請求の範囲】
【請求項１】
表面にチタンをスパッタリング加工した布帛の前記表面を使用者の身体側に置き、該布帛の身体より遠い側に詰綿を置き、これらを側地で囲ってなる寝具。
【請求項２】
詰綿はポリエステル綿としたことを特徴とする請求項１記載の寝具。
【請求項３】
詰綿は、その一部又は全部に遠赤外線放射セラミックを繊維に練り込んだ綿を使用したものであることを特徴とする請求項１記載の寝具。
【発明の詳細な説明】
【０００１】
【発明の属する技術分野】
本発明は、保温蓄熱性に優れ、体温を寝具外部に放散することを少なくした寝具に関する。
【０００２】
【従来の技術】
従来、布団等の寝具の詰物としては天然或いは化合繊繊維の綿・羽毛等が使用されており、それら繊維或いは羽毛同志間の微細な間隙空間が断熱・保温の作用をしているが、更に断熱性保温性を高めることを目的としてアルミニューム等の金属シート或いはこれらの金属を布帛等に蒸着等し、それらの金属による熱の反射作用によって熱の放射或いは入射を防ぐことが行なわれている。
【０００３】
然し、これらの手段によると一応熱の反射は実現するが、綿等の素材自体による蓄熱性を期待することは出来なかった。
【０００４】
【発明が解決しようとする課題】
本発明は上記の点に鑑みて、従来の綿に比して保温性を高めるばかりでなく蓄熱性も有し、寝具内の熱を寝具外に放散することを少なくした詰物を封入した、保温蓄熱性に秀れた寝具を得ることを目的とする。
【０００５】
【課題を解決するための手段】
請求項１記載の発明にあっては、表面にチタンをスパッタリング加工した布帛の前記表面を使用者の身体側に置き、該布帛の身体より遠い側に詰綿を置き、これらを側地で囲ってなる寝具とした。
請求項２記載の発明は、請求項１記載の寝具において、詰綿はポリエステル綿としている。
請求項３記載の発明は、請求項１記載の寝具において、詰物の一部又は全部に遠赤外線放射セラミックを繊維に練り込んだ綿を使用した。
【０００６】
【発明の実施の形態】
本発明寝具１の実施の形態を図面と共に次に説明する。
図１に示した寝具１は掛寝具として用いるものを示しており、表面にチタンをスパッタリング加工したポリエステル布帛２と詰綿３とを積層しその外周を側地４で覆っている。布帛２のチタンスパッタリング加工面は使用時に人体側に位置するようにして詰綿３と重ねている。
【０００７】
布帛２は、織物，ニット，不織布等適宜でポリエステル，ナイロン，ポリエチレン，アクリル，ポリプロピレン，アラミド等を用いることが出来るが、水分率の小さい素材又は分子中に親水基を含まない素材が望ましい。
分子中に多くの親水基を含んだ場合、空気中の水分が水素結合で付着している為に真空処理するときに、水分除去の為エネルギーを多く必要とし、この点でポリエステルが好ましい。
【０００８】
ポリエステル布帛２表面のチタンはスパッタリング法により付着されたもので、その手法は、真空内のチタンの近くに電界，磁界を利用して高密度のプラズマ放電を作り、イオン化されたガスイオンが電界により加速されてチタンに衝突し、そのエネルギーによりチタンが分子又は原子状で叩き出されて布に付着するもので、この運動エネルギーは蒸着，メッキに比較して極めて高く金属膜厚は４００Å程度となり、この膜厚で得られる機能として吸収，透過，反射の機能があり、なかでも吸収が非常に大きく、透過が小さい。これは遮熱効果が大きいとことを意味し、光のエネルギーの吸収が大きい事から蓄熱性に優れた機能を有すると云える。
【０００９】
上記の如き特性を有するチタンスパッタリング加工したポリエステル布帛２を寝具として使用するためには、スパッタリング加工面を発熱体（寝具にあっては就寝者）に近い位置に置くのが好ましい。それにより使用時に繊維よりスパッタリング面の昇温が速く、蓄熱効果も高め得、かつ、その外側（就寝者・発熱体の反対側）の詰綿３はその存在によりスパッタリング布帛２に対する保温効果を発揮することになる。
【００１０】
上述の実施例は、チタンスパッタリング加工をした布帛２に詰綿３を重ね、側地４でこれらを囲っているが、スパッタリング布帛２と重ねた詰綿３と側地４の間に、アルミニュームシート又はアルミニューム等の金属表面を有するシート５例えば金属蒸着シートを入れることにより寝具内の熱が外部に逃げるのを遮断する手段を講じることも出来る。
【００１１】
詰綿３はチタンスパッタリング布帛２の蓄熱性を高めるために、出来る限り保温性の高いものとする。その為には、極く細繊度のマイクロファイバーよりなる綿とするのが好ましく、その使用により詰綿を構成する繊維間の間隙を多数の微細な空間となし得る。１例としてて平均デニールが０．５乃至１．０のポリエステル綿を使用すれば一層効果的である。
また、詰綿３は上記作用を更に高める為に、遠赤外線放射セラミックを繊維に練り込んだ綿を使用することも可能である。上記綿は綿繊維中に含まれる遠赤外線放射セラミックが就寝者の発する熱或るいはチタンスパッタリング加工した布帛が蓄熱し放出した熱を受け、遠赤外線を放射することで寝具内温度を長時間保つことになる。
本発明寝具は、掛け布団，敷き布団，肌掛け布団，炬燵布団等に実施して有効である。
【００１２】
【発明の効果】
本発明寝具は、表面にチタンをスパッタリング加工した布帛の前記表面を使用者の身体側に置き、該布帛の身体より遠い側に詰綿を置き、これらを側地で囲ってなるものである為、保温蓄熱性に富み長時間温度低下を来たす事なく就寝する事が出来る。
本発明寝具は、ポリエステル綿を詰綿とし、マイクロファイバーを使用すれば容易に綿内の繊維同志間に生ずる空間間隙が微細なものとなし得、断熱保温効果を一層高く出来る。
本発明寝具は、詰綿の一部又は全部に遠赤外線放射セラミックを繊維に練り込んだ綿を使用している為に、チタンスパッタリング加工したチタンからの熱を受けた遠赤外線セラミックが綿内において遠赤外線を放射し詰綿の温度低下を阻止する事が出来る。
尚、本発明寝具にあっては、詰綿よりも寝具の側地側に位置して、アルミニュウーム等の金属シート又はアルミニューム等の金属面を有するシートを配すれば、蓄熱されたチタンの熱が寝具外部に散逸するのを阻止する事が出来るため、一層保温効果を高めることも出来る。
【図面の簡単な説明】
【図１】本発明寝具の縦断面図で、Ａは第１の実施態様を、Ｂは第２の実施態様をそれぞれ示す。
【符号の説明】
１　寝具
２　チタンをスパッタリング加工した布帛
３　詰綿
４　側地
５　金属表面を有するシート
【図１】
2004008229.tif 000003
(57)【要約】　　　（修正有）【課題】抹茶の応用方法の提供。【解決手段】抹茶を毎食後２ｇから２．５ｇを水６０ｃｃで点てて飲む【効果】薬物反応や副作用がなく、驚異的な効き目が得られる。【選択図】なし【特許請求の範囲】
【請求項１】
抹茶応用　副作用なし　世界中で医学上重大な発見
【発明の詳細な説明】
【０００１】抹茶を毎食後２ｇから２．５ｇを水６０ｃｃで点てて飲む
【発明の属する技術する分野】
【０００２】抹茶の効用が科学的に証明された薬物反応ゼロ
【従来の技術】
【０００３】抹茶は古来からあるが科学的に証明されたことは未発表　発見
【課題を解決しようとする課題】
【０００４】植物成分　その効き目は驚異の抹茶
【発明の実施の形態】
【０００５】茶筅　ティースプーン　代用となる汁椀を利用とする
【実施例】
【０００６】抹茶６−８ｇを１日に３回分に別ける
【０００７】抹茶の点て方は自由だがｍ字を要領として一気に混ぜ点てると失敗がない。
【発明の効果】
【０００８】ノーベルのダイナマイト発見と同類等
抹茶を応用　薬物反応ゼロ　副作用なし
【０００９】抹茶は市販されているものはどれを使用しても効果は同じ　価格は税別で８００円から１２００円ぐらいのもので良い
【００１０】市販されている抹茶は何に効くかは全く表示されて売ってはいない　嗜好品として飲み　その効果を知る
【００１１】抹茶に関する書籍は色々と出版されているが　その効用　効果は全く記載されてはいない
【００１２】それに抹茶はアルカリ食品　緑黄色野菜であり植物成分である　自然物からの食品の恵みに驚異の効き目を知る
【００１３】茶筌は８０本立てが一番丈夫で一般人向けである　価格は税別で１５００円から２６００円ぐらいのものでよい
(57)【要約】【課題】箒を直立させて保持でき、且つ塵取りとして確実に塵を受入れることができてしかも開口部の小さいゴミ箱にも確実に移し捨てることができるようにすることにある。【解決手段】柄体２の先端にブラシ３を連設した箒１を直立姿勢で保持する箒用スタンド４であって、弾性変形が自在な軟質樹脂で成形され、前記した柄体２の先端部が挿通される略半筒形状の把持部５の先端に、前記したブラシ３が収納される略半錐筒体形状のスカート部６を、一体連設した構成で、把持部５を持った状態でスカート部６を床に押し付けて先端が直線状になるように変形させ、塵取り操作を行う。【選択図】　　　　図１
2004008267.tif 000002
【特許請求の範囲】
【請求項１】
柄体（２）の先端にブラシ（３）を連設した箒（１）を直立姿勢で保持する箒用スタンド（４）であって、弾性変形が自在な軟質樹脂で成形され、前記柄体（２）の先端部が挿通される略半筒形状の把持部（５）の先端に、前記ブラシ（３）が収納される略半錐筒体形状のスカート部（６）を、一体連設したことを特徴とする箒用スタンド。
【発明の詳細な説明】
【０００１】
【発明の属する技術分野】
本発明は、箒を直立姿勢で保持でき、且つ塵取りを兼用させた箒用スタンドに関するものである。
【０００２】
【従来の技術】
清掃用具としての箒と塵取りは、その用途よりして常に同時に取り扱われるべきものであるが、掃除を開始しようとする際に一方が見当らないといったことはしばしば経験するところである。
【０００３】
【発明が解決しようとする課題】
そこで、この箒と塵取りとを一緒にして壁から吊り下げたり壁に立て掛けたりしていたが、玄関に置くような場合は甚だ体裁の悪いものであった。
【０００４】
また塵取りは、箒でかき寄せられた塵を受け入れるものであるから、塵が確実に入るように、即ち塵が塵取りの下に入り込んでしまうことのないように、先端が直線になっている。しかしながらこの構造であると、塵を取ったあとに開口部の小さいゴミ箱に塵を移す際に両側からこぼれてしまって入れにくく、それを防ぐために塵取りを一方端に傾けていたのであるが、それでも尚、外にこぼれ易い不満があった。
【０００５】
よって本発明は、この従来の不満点を解消し要求に応えるべく発明された箒用スタンドであって、箒を直立させて保持でき、且つ塵取りとして確実に塵を受入れることができてしかも開口部の小さいゴミ箱にも確実に移し捨てることができるようにすることを目的とする。
【０００６】
【課題を解決するための手段】
上述した従来の課題を解決する本発明は、柄体の先端にブラシを連設した箒を直立姿勢で保持する箒用スタンドであって、弾性変形が自在な軟質樹脂で成形され、前記した柄体の先端部が挿通される略半筒形状の把持部の先端に、前記したブラシが収納される略半錐筒体形状のスカート部を、一体連設したことを特徴とする構成である。
【０００７】
【発明の実施の形態】
以下、本発明の実施の形態を説明すると、先ず箒１は通常一般のものであって、直線棒状の柄体２の先端にブラシ３を連設した構成であり、このブラシ３は、合成樹脂製の線材をはじめ、従来より用いられる竹の枝、箒草、シュロ等を束ねたもので、如何なるものであっても良い。
【０００８】
次に本発明にかかる箒用スタンド４は、弾性変形が自在な軟質合成樹脂・ゴム等で成形され、前記した柄体２の先端部が挿通される略半筒形状の把持部５の先端に、前記したブラシ３が収納される略半錐筒体形状のスカート部６を一体連設した構成である。
【０００９】
図示実施例で把持部５は柄体２の円柱に対応した半円筒形状であり、スカート部６は、下方に向かって放射状に拡がったブラシ３の形状に対応した半円錐筒形状である。
【００１０】
従って箒用スタンド４は、スカート部６を下端にした状態では半円錐筒形状であるために自立させることができ、そこで柄体２の先端部を把持部５に挿通すると共に、ブラシ３をスカート部６に収納した姿勢では、箒１を直立させた状態で保持することができる（図１（ａ）参照）。
【００１１】
図１（ａ）はブラシ３が露出して視認できる状態を示しているが、図４の如く軸反転させておけば露出せず、玄関に置いていても不体裁ではなく、むしろ装飾品として面白味のあるものにすらなる。
【００１２】
また、箒１と箒用スタンド４とは常に一体の組み合わせであるから、何れかが紛失してしまうといったこともない。
【００１３】
さて、図１（ｂ）、図２、図３は箒用スタンド４を塵取りとして使用する場合を示し、図１（ｂ）、図２はゴミを掃き寄せ、塵をかき集める状態を示すものであるが、箒用スタンド４は軟質合成樹脂・ゴム等で成形されているので弾性変形が自在であり、従って把持部５を保持してスカート部６の先端を床面等に押し付けると、半円錐筒形の下端半円周端がほぼ直線状に変形する。
【００１４】
それ故スカート部６はそのまま略三角形状のゴミ受け部に変形し、かき集められたゴミ・塵を収納することができる。
【００１５】
この作業を終了させて床から離すとスカート部６は弾性復帰し、先端が半円状の半円錐筒形状に戻るのでややすぼまる形状になり、収納したゴミ・塵がこぼれにくくなるばかりでなく、図３の如くゴミ箱に移し代える際も方向性が安定し、ゴミ箱の外にこぼしてしまうこともない。
【００１６】
【発明の効果】
以上説明したように本発明の箒用スタンドによれば、箒と塵取りとを一体にして保管することができ、しかも箒を直立状態で保持できてデザイン的にも面白いものになり、更に弾性変形が自在なので塵取りとしてゴミ等が収集し易いだけでなく、ゴミ箱への移し代えも確実に行うことができる等、多くの優れた作用効果を奏する。
【図面の簡単な説明】
【図１】箒を立てた状態（ａ）と、塵取りとして使用している場合（ｂ）を示す斜視図である。
【図２】ゴミをかき集める状態を示す斜視図である。
【図３】ゴミをゴミ箱に移し代える状態を示す斜視図である。
【図４】玄関脇に設置した状態を示す斜視図である。
【符号の説明】
１；箒、２；柄体、３；ブラシ、４；箒用スタンド、５；把持部、６；スカート部。
【図１】
2004008267.tif 000003
【図２】
2004008267.tif 000004
【図３】
2004008267.tif 000005
【図４】
2004008267.tif 000006
(57)【要約】【課題】パテの塗り込みに熟練作業者を必要とせず、パテの塗り込みとトップコートの塗装、乾燥・硬化時間を短縮し、トップコート時の色あわせ作業を必要としない自動車ボデーの修理方法を提供する。【解決手段】塗膜に傷が入っていない自動車ボデーの凹み修理において、凹み面に紫外線硬化型の透明パテを塗り込み、この透明パテに紫外線を照射・硬化させた後、紫外線硬化型の透明トップコートを塗布し紫外線を照射して硬化させる修理法であり、上記透明パテと上記透明トップコートとは、その光透過度と屈折率が同一であり、上記紫外線硬化型の透明パテと上記紫外線硬化型の透明トップコートは、ウレタンアクリレートに紫外線重合開始剤と粘度調整剤を添加・混練してなる組成物を採用するものである。【選択図】　図１
2004008885.tif 000002
【特許請求の範囲】
【請求項１】
塗膜に疵が入っていない自動車ボデーの凹み修理において、凹み部分に紫外線硬化型の透明パテを塗り込み、この透明パテに紫外線を照射して硬化させた後、紫外線硬化型の透明トップコートを塗布し、紫外線を照射して硬化させることを特徴とする自動車のボデー修理法。
【請求項２】
上記透明パテと上記透明トップコートは、その光透過度と屈折率が同一である樹脂組成物を採用することを特徴とする請求項１に記載の自動車のボデー修理法。
【請求項３】
上記紫外線硬化型の透明パテと上記紫外線硬化型の透明トップコートとは、ウレタンアクリレートに紫外線重合開始剤と粘度調整剤を添加・混練した組成物を採用してなることを特徴とする請求項１または２に記載の自動車のボデー修理法。
【発明の詳細な説明】
【０００１】
【発明の属する技術分野】
この発明は、自動車ボデーの軽微な損傷を修理する方法に関する。
【０００２】
【従来の技術】
自動車のボデー損傷部分の修理は、コーター（「へら」ともいう）でもって損傷部分にパテを塗り込み、乾燥・硬化させて表面を研磨し、色合わせした塗料でトップコートを施し乾燥・硬化させていた。
【０００３】
【発明が解決しようとする課題】
上記従来の修理方法では、コーターでパテを塗り込む工程、該パテを乾燥・硬化させる工程、硬化したパテの表面を研磨する工程、その上に色あわせした塗料でトップコートを施し乾燥・硬化させる工程のいずれもが長い時間と熟練を必要とするものであった。
【０００４】
上記従来技術に鑑みこの発明は、パテの塗り込みを容易にし、色合わせを無用にして熟練を不要とし、パテの塗り込みとトップコートの乾燥・硬化時間を短縮した自動車ボデーの修理法を提供することを課題とする。
【０００５】
【課題を解決するための手段】
上記課題を解決するためにこの発明は、塗膜に疵が入っていない自動車ボデーの凹み修理において、凹み部分に紫外線硬化型の透明パテを塗り込み、紫外線を照射して硬化させる工程と、紫外線硬化型の透明トップコートを施し、紫外線を照射して硬化させる工程とからなる（請求項１）ものであり、上記透明パテと上記透明トップコートは、その光透過度と屈折率が同一であり（請求項２）、上記紫外線硬化型の透明パテと上記紫外線硬化型の透明トップコートとは、ウレタンアクリレートに紫外線重合開始剤と粘度調整剤を添加・混練した組成物を採用する（請求項３）ものである。
【０００６】
上記の如く構成するこの発明によれば、紫外線硬化型パテは紫外線照射により数分間で硬化し、トップコートも紫外線照射により数十秒で硬化するので作業時間を大幅に短縮することができ、この発明で採用した透明パテは粘稠性が高いので塗り込み後、表面が平滑になって修理部分の境目が目立たず、その上にトップコートを施すこととなるので仕上がりが良好で熟練を要せず綺麗に修理することができる。
【０００７】
【発明の実施の形態】
次にこの発明の実施形態について工程の順をおって説明する。
▲１▼　変形損傷部の塗膜に傷が入ってないかをチェックする（塗膜に傷が入っているときは、従来法で修理する）。
▲２▼　修理対象部分を清浄にする（塗膜に傷を付けないように注意する）。
▲３▼　紫外線硬化型の透明パテをコーター（へら）により塗り込む。
▲４▼　水銀電極アークランプで６０秒照射。
▲５▼　スプレーガンで紫外線硬化型の透明トップコートを施す。
▲６▼　水銀電極アークランプで２０秒照射。
【０００８】
なお、必要ならば上記▲４▼の工程と▲５▼の工程との間で「へら目」の修正作業を行うことができる。
【０００９】
上記実施の形態において、紫外線硬化型の透明パテ組成物および紫外線硬化型のトップコート用組成物の好適なプレポリマーとしてエステルアクリレート、ウレタンアクリレート、エポキシアクリレート、アミノ樹脂アクリレート、アクリル樹脂アクリレート、不飽和ポリエステルなどを挙げることができ、特に好適なものとしてウレタンアクリレートが挙げられる。
【００１０】
また、紫外線重合開始剤として、ラジカル重合系の開始剤として各種カルボニル化合物等が、カチオン重合系の開始剤としてオニューム塩等があげられる。
【００１１】
なお、上記パテおよびトップコート用組成物の光透過度および可視光線での屈折率は実用的に同程度になるように調整してある。
【００１２】
上記条件設定に基づき塗料メーカーに調整させたパテ（ノガワケミカル株式会社、製品名、ダイヤボンドＵＶ１３６Ａ）を凹み部分にコーターで塗り込み、岩崎電気社製メタルハライドランプ（８０ｍＷ／ｃｍ２　）で６０秒間紫外線照射して硬化させ、その上に上記ダイヤボンドＵＶ１３６Ａ：トルエン＝１：２（重量比）になるように希釈してトップコート用塗料を調整しスプレーガンでトップコートを行い、上記ランプで２０秒間紫外線照射、硬化させて修復を完了した。
【００１３】
上記修理法によれば、作業者の熟練を必要とせず、外観および塗膜の強度とも何ら遜色はなかった。
【００１４】
また、工数で見れば　パテの乾燥・硬化時間が１／２０に、　▲２▼研磨作業＝不要、　▲３▼色あわせ＝不要　▲４▼トップコートの乾燥・硬化時間＝１／１８０になり、大幅な工数削減が可能になった。
【００１５】
【発明の効果】
以上説明したようにこの発明によれば、塗膜に傷のない凹み修理の場合、作業者の熟練を必要とせず、工数を大幅に削減することができ、しかも、外観および塗膜の強度とも何ら遜色はない修理結果が得られる。
【図面の簡単な説明】
【図１】従来技術と本発明の修理工程比較図
【図１】
2004008885.tif 000003
(57)【要約】【目的】日保ちを改善しながら、家庭で手軽に温泉豆腐の状態で食卓に供することができる豆腐及び豆腐関連食品のパッケージ方法を提供する。【解決手段】豆腐及び豆腐関連食品をアルカリ性水溶液とともにパッケージし、摂氏８０度以下程度で加熱処理を施す。【特許請求の範囲】
【請求項１】
豆腐及び豆腐関連食品を水と共に封入するパッケージ製品において封入水をアルカリ性水溶液とすることを特徴とする豆腐及び豆腐関連食品のパッケージ方法。
【請求項２】
豆腐及び豆腐関連食品を封入水とともにパッケージするに際し、豆腐及び豆腐関連食品の内部にアルカリ性水溶液を注入しておくことを特色とする豆腐及び豆腐関連製品のパッケージ製品。
【請求項３】
豆腐及び豆腐関連食品のパッケージ製品を摂氏８０度程度以下の比較的低温で加熱処理したことを特色とする請求項１及び請求項２のパッケージ製品。
【請求項４】
生揚げ豆腐または揚げ豆腐を請求項１または請求項２または請求項３の方法で製造したパッケージ製品。
【発明の詳細な説明】
【０００１】
【発明の属する技術分野】
本発明は豆腐及び豆腐関連製品を、家庭での加熱などの簡単な調理により、いわゆる「温泉豆腐」の状態で提供する方法に関するものである。
【０００２】
【従来の技術】
従来、温泉豆腐として、豆腐を柔らかくまろやかに食する方法が考えられてきた。例えば、特開平９−６５８４７はアルカリ性水溶液の種類と加熱調理の方法を述べており、特開平７−２２７２３２はアルカリ性水溶液を調味液と混合して別包として提供する方法を提案している。又、特開平４−１１２７６５では、揚げ出し豆腐をカラリとさせる製造法改良について述べている。
【０００３】
【発明が解決しようとする課題】
しかしながら従来の特開平９−６５８４７の温泉豆腐の製造方法だと特別な技法や測定器を用いないと一般の者では製造不可である。特開平７−２２７２３２では豆腐とアルカリ性水溶液、調味液を別包にして販売することによって、購入者が調理する際、アルカリ性水溶液という薬液を用いることによって、自然食品という豆腐のイメージを著しく傷つけている。
【０００４】
又、別包ということで持ち運びがかさばり、使用済パッケージのゴミの増加にもつながる。
【０００５】
さらに豆腐及び豆腐関連食品を封入水とともにパッケージしたパッケージ製品を、日保ちを向上させる目的で摂氏９０度付近の高温で加熱処理して出荷することが通常行われているが、この場合には使用するにがりによっては豆腐がやや堅くなり食味風味が低下するという問題点もあった。
【０００６】
【課題を解決するための手段】
封入水をアルカリ性水溶液とすることにより、アルカリ性水溶液が拡散して豆腐の内部に浸透するので、消費者が薬液を使用することなく加熱という通常の調理を行うだけでいわゆる「温泉豆腐」の状態を簡単に実現できる。また日保ち改善の熱処理については、アルカリ性水溶液で封入した場合には、加熱温度を摂氏８０度以下の比較的低温で処理することによって、ある程度の日保ち改善効果を確保しながらアルカリ性水溶液と豆腐の反応を中間的な段階にとどめることが出来る。アルカリ作用を中間的な段階にとどめた豆腐は、大豆の持つ甘味や軟らかい舌触りなど豆腐本来の出来たての風味が得られ、冷奴をはじめとする各種の豆腐料理に供して大きな食味品質の改善効果が得られる。
【０００７】
【発明の実施の形態】
以下、本発明の実施の形態を説明する。
まず請求項１にかかるアルカリ性水溶液については、食品に適用可能な各種アルカリ塩類を使用することができる。具体的には炭酸ナトリウム、炭酸水素ナトリウム、リン酸ナトリウム、重合リン酸等から選ばれた１種類以上を使用することが好ましく、中でも炭酸水素ナトリウム（重曹）を用いることが好ましい。
【０００８】
アルカリ塩類を用いて豆腐と一緒にパックする時に使用する水溶液は豆腐の風味に悪影響を及ぼさない範囲の、水１リットルに対して炭酸水素ナトリウム（重曹）を１０〜３０グラムの範囲に調整するのがより好ましい。試験結果では水１リットルに対して炭酸水素ナトリウム２０グラムが最適であった。
【０００９】
また請求項２については、パッケージした豆腐及び豆腐関連食品に所要のアルカリ性水溶液をあらかじめ付与する方法として、豆腐を封入水とともにパッケージする前に、豆腐の内部に所要のアルカリ性水溶液を注入するものである。注入の方法としては細管を豆腐に挿入して所要量のアルカリ性水溶液を送入する等の方法がある。この場合、封入水をアルカリ性水溶液とすることもしないことも可能であることは当然である。
【００１０】
さらに請求項３については、パッケージ製品の加熱処理について述べるものである。従来の豆腐では、日保ちさせるためにボイルする方法があるが、この方法では、にがりがきいて硬くなると一般的にいわれている。しかしこのようにアルカリ性水溶液を封入したパッケージを摂氏８０度以下程度の中間温度にて殺菌処理をかねてボイルした豆腐、及び豆腐関連食品であれば日保ちも長くなり、アルカリ性水溶液とにがりが反応して甘味、風味、おいしさも増す。ボイル温度を摂氏８０度以上で通常通り加熱すると豆腐の風味は改善されるがパッケージの中でアルカリとの反応が進行し、豆腐の表面が溶け出してしまうことがある。
【００１１】
請求項４は本発明を生揚げ豆腐または揚げ豆腐について実施したものであり、封入水とともにパッケージ製品とする場合の製造方法はすでに述べた通りである。
【００１２】
【実施例】
実施例として本発明に係る豆腐及び豆腐関連製品の調理の状況を説明する。まず、豆腐としては木綿豆腐、絹ごし豆腐、寄せ豆腐のいずれを用いてもよいが、やや硬めの木綿豆腐を使用するのが好ましい。
【００１３】
上記豆腐を水１リットルに対して炭酸水素ナトリウムを３〜５０グラム添加したアルカリ性水溶液で封入する。
【００１４】
この調整されたアルカリ性水溶液にパックされた豆腐を使用し、家庭にて湯豆腐を従来通り加熱調理すれば、特別な技法や測定器などを使わずに手軽に表面がとろりと溶けて大豆の甘味、風味舌触りをもった温泉豆腐の状態での湯豆腐が味わえる。
【００１５】
従来の豆腐ではレンジで温めても溶けなかったが、この方法ではレンジで加熱すればチーズのように溶けて上記と同様な効果が得られた。
【００１６】
また冷奴としてそのまま食べて同様な効果が得られる製品として提供する際はアルカリ性水溶液に封入された豆腐を工場にて加熱処理を行う時に好ましくは摂氏７０度付近の温度で２０〜５０分加熱処理した製品とする。
【００１７】
また従来の豆腐を一度油で揚げた生揚げ豆腐、揚げ豆腐をアルカリ性水溶液と一緒にパックしたものを摂氏８０度以下程度の温度で加熱処理をした製品では、家庭で表面を焼いたりレンジで温めたりする加熱処理を加えれば上記と同様な効果が得られる。
【００１８】
【発明の効果】
豆腐とアルカリ性水溶液を同封するパッケージ方法によって豆腐及び豆腐関連製品の食味品質を改善できる。また本発明のパッケージ製品を高温を避けて比較的低温で加熱処理を施すことで日保ちを改善しながら、自然食品という豆腐のイメージを壊すことなく今まで以上に手軽に温泉豆腐の状態で出来立ての大豆本来の甘味、風味、柔らかな舌触りを持つ豆腐を提供できる。
(57)【要約】【課題】砂場にネコ等の侵入を防止し、しかも、透水性や通気性に優れるネコ避けシートを提供する。【解決手段】糸密度が縦１〜３０本／インチ、横１〜３０本／インチのメッシュシートで、少なくとも片面が樹脂加工されており、かつ抗菌加工されているものを、砂場の表面を覆うネコ避けシートとする。樹脂加工された後の糸間の空孔は、直径０．５ｍｍ〜１ｃｍであり、１平方インチ当たり１〜５００個の空孔を保持するようにするのが好ましい。なお、テントを設けた砂場においては、テント支持に、取付け可能とし、不使用時にはテントの天井部に収納可能とするのが好ましい。【選択図】　なし【特許請求の範囲】
【請求項１】
糸密度が縦１〜３０本／インチ、横１〜３０本／インチのメッシュシートで、少なくとも片面が樹脂加工されており、かつ抗菌加工されていることを特徴とするネコ避けシート。
【請求項２】
糸密度が縦４〜１４本／インチ、横４〜１４本／インチであることを特徴とする請求項１記載のネコ避けシート。
【請求項３】
樹脂加工された後の糸間の空孔が、直径０．５ｍｍ〜１ｃｍであることを特徴とする請求項１又は２記載のネコ避けシート。
【請求項４】
テントを設けた砂場において、テント支持に、取付け可能であることを特徴とする請求項１〜３いずれかに記載のネコ避けシート。
【発明の詳細な説明】
【０００１】
【発明の属する技術分野】
本発明は、夜間の砂場にネコが侵入して、砂場を汚さないようにするためのネコ避けシートに関する。
【０００２】
【従来の技術】
砂場が、ネコ等の侵入で、汚されることは問題となっており、砂場の砂を定期的に加熱消毒するなどの方法が検討されているが、それだけでは十分でない。
そのため、不使用時には、砂場の表面をテント地で覆うという試みがなされているが、表面に水が溜まり、扱い難く、また、砂場が蒸れて、菌の増殖等の問題を生ずる危険性もあった。
【０００３】
【発明が解決しようとする課題】
本発明は、砂場にネコ等の侵入を防止し、しかも、透水性や通気性に優れるネコ避けシートを提供することを課題とする。
【０００４】
【課題を解決するための手段】
我々は、特定の空隙率のメッシュシートでは、ネコの侵入が防止できることを見いだし、本発明を完成した。
すなわち、糸密度が縦１〜３０本／インチ、横１〜３０本／インチのメッシュシートを、その少なくとも片面に樹脂加工し、かつ抗菌加工することにより、所望の目的を達成したのである。
【０００５】
糸密度は縦４〜１４本／インチ、横４〜１４本／インチであるのが特に好ましく、樹脂加工された後の糸間の空孔は、直径０．５ｍｍ〜１ｃｍで、１平方インチ当たり１〜５００個の空孔を保持していること、特に糸間の空孔が、直径０．５ｍｍ〜１ｃｍで、１平方インチ当たり５０〜１５０個の空孔を保持しているのが好ましい。
【０００６】
この程度の空孔を有するシートでは、ネコがその上に足を踏み入れ難く、シートは通気性に富むものとなる。
【０００７】
なお、シートを構成する繊維は天然繊維及び合成繊維のいずれでもよいが、外部で使用するため、耐候性のよい合成繊維を使用するのが好ましく、一般にポリエステル繊維を使用するのがよい。また、本発明では、メッシュシートの少なくと片面に樹脂加工するが、これは防水性を持たせるものであり、気候の変化によって、メッシュシートが変形劣化するのを防止するためのものである。
【０００８】
樹脂加工に使用する樹脂は、一般に壁装材やテントの防水等に使用される樹脂がいずれも使用可能である。例えば、ポリ塩化ビニル、ポリウレタン、アクリル系樹脂等である。かかる樹脂加工により、シート表面にカラフルな図柄を印刷することが可能となり、該シートの装着で、砂場を装飾性に優れた場所に変えることも可能となる。
【０００９】
次に、抗菌剤としては、繊維や樹脂に耐久性よく含浸又は付着するものであればよく、例えば銀錯体型のものが使用できる。
【００１０】
かかるメッシュシートすなわち多孔性シートを使用して砂場を覆う方法は特に限定されない。例えば、紫外線をカットするために砂場にテントを設けるのが好ましいが、この場合には、本発明のネコ避けシートを、テントの支柱等に取付け可能とし、不使用時には、テントの天井部に収納可能とするのが好ましい。
【００１１】
【発明の実施の形態】
次に本発明の実施例を示すが、これにより本発明の技術的範囲が限定されるものではない。
実施例
糸の太さが２７８ｄｔｅｘで、糸密度が縦１０本／インチ、横１２本／インチであるポリエステル・メッシュ織物の両面に、ポリ塩化ビニルペースト樹脂を塗布、乾燥後、ディッピングによる抗菌加工をしてシートＡを得た。
【００１２】
比較例
糸の太さが７８ｄｔｅｘで、糸密度が縦３２本／インチ、横３４本／インチのポリエステル・メッシュ織物の両面に、ポリ塩化ビニルペースト樹脂を塗布、乾燥してシートＢを得た。
【００１３】
実施例及び比較例で得たシートＡ及びＢの通水性及び抗菌性を下記の方法で試験した。その結果を表１に示す。
１．通水性試験
ＪＩＳ−Ｌ−１０９２　繊維製品の防水性試験方法。
雨試験（シャワー試験）Ａ法。
試験結果はシャワーで一分間降雨させ、降雨させた水量の内、試験片を透過した水量の割合を重量比率（％）で評価した。
◎：９０％以上、○：６０〜８９％、△：３０〜５９％、×：０〜２９％
２．抗菌性試験
寒天希釈法による、３５℃、２４時間放置後の大腸菌、黄色ブドウ球菌、緑膿菌の３菌種確認（但し、各菌の初期濃度は、大腸菌１．８×１０４、黄色ブドウ球菌１．５×１０４、緑膿菌の３．４×１０４）。
◎：抗菌性あり（初期濃度から１０２以上数値が減少する）
×：抗菌性なし（初期濃度から数値が増加する）
【００１４】
〔表１〕
．通水性抗菌性
実施例　（シートＡ）　　　◎　　　　　　◎
比較例　（シートＢ）　　　×　　　　　　×
【００１５】
砂場１の外周の四隅に支柱２を立て、この支柱２にテント３を張った（図１参照）。実施例で得たシートＡを砂場を覆う大きさに縫製し、その四隅にゴムバンド４を取付け、該ゴムバンド４の先端に鉤状金具５を取付け、この鉤状金具５を前記支柱２に引っ掛けで、砂場１の表面をシートＡで覆った。
シートＡの存在で、犬やネコが砂場に入ることがなく、また、シートＡ表面に踏み込むこともなかった。
更に、砂場１を使用する際には、シートＡを引き上げ、ゴムバンド４の先端の鉤状金具５を、テント内部に位置する、支柱２の上方に引っ掛けで収納できるようにしたため、シートＡは、不使用時にも、邪魔になることなく、扱い易いものとなった。
【００１６】
【発明の効果】
本発明の製品は、砂場にネコ等の侵入を防止し、しかも、透水性や通気性に優れるため、ネコ等の害を受けることなく、砂場を常に自然な状態に保つことを可能とする。
更に、本発明の製品は、カラフルな着色が可能であるため、装飾性にも優れ、また、抗菌性を有するため、不使用時に、頭上に引き上げて保管しても、下で遊ぶ子供達に害を及ぼすことがない。
【図面の簡単な説明】
【図１】図１は、本発明の製品の使用状態を示す斜視図である。
【符号の説明】
１　砂場
２　支柱
３　テント
４　ゴムバンド
５　金具
Ａ　シート
【図１】
2004008129.tif 000002
(57)【要約】【課題】カラスを始めとする害鳥からの被害を防止するため、コンパクトディスクの光模様と反射光で鳥を威嚇する吊り下げ鳥追具を提供する。【解決手段】左右両側に、目玉シール（２）を貼付した２枚のコンパクトディスクを接合板（１）にハの字形に設け、接合板に吊り紐（４）を設けた。以上の構成からなる、コンパクトディスク付吊り下げ鳥追具である。【選択図】　　図１
2004008193.tif 000002
【特許請求の範囲】
【請求項１】
左右両側に、目玉シール（２）を貼付した２枚のコンパクトディスクを接合板（１）にハの字形に設け、接合板に吊り紐（４）を設けたことを特長とする、コンパクトディスク付吊り下げ鳥追具。
【請求項２】
接合板（１）が鳥形とした請求項１のコンパクトディスク付鳥追具。
【発明の詳細な説明】
【０００１】
【発明の属する技術分野】
この発明は、サクランボやナシ等、各種農作物や、ゴミ置場等のカラスの被害をなくす為の害鳥防止用具であり、コンパクトディスク（以下ＣＤと称す）表面の特有の光模様と反射光を上空広範囲に放射させて、鳥の視角に入った時、瞬時に脅威を与えられるように設計製作された、ＣＤ付吊り下げ鳥追具に関するものである。
【０００２】
【従来の技術】
従来より鳥追具に関しては、カラスの疑似鳥や、大きな目玉を印刷した風船や、光沢金属板を使った吊り下げ式鳥追具等、多種類の用具が販売されているが、鳥のもつ学習能力からか、いずれの用具も短期間の効果しか得られていない。特に利口なカラスには、ほとんど効果がない。又鳥追具としては流通していないが、ＣＤを紐で吊るして鳥追具として使用している所もある。しかしこの方法では、ＣＤのもつ特性が上空には生かされず、害鳥防止までに至っていない。
【０００３】
【発明が解決しようとする課題】
従来より販売されている多種の鳥追具は、形や大きさによる恐さや、風による動きの変化や、光の利用等各々が特徴としているが、鳥の学習能力により短期間しか効果がない。又ＣＤを紐で吊るし、鳥追具として使用しているものも、ＣＤ面が垂直に近い形で吊り下がっているので、ＣＤのもつ特性が上空には生かされず、効果ある鳥追具としては作用していない。本発明はこれらの欠点を解決する為に発明されたものである。
【０００４】
【課題を解決するための手段】
左右両側に、目玉シール（２）を貼付した２枚のコンパクトディスクを接合板（１）にハの字形に設け、接合板に吊り紐（４）を設けたことを特長とする、コンパクトディスク付吊り下げ鳥追具。
【０００５】
【発明の実施の形態】
以下、本発明の実施の形態について説明する。
（イ）金属又はプラスチックの薄板で作られた接合板（１）の左右両側に、ＣＤ（３）をハの字にハトメで固着する。但し固着の方法についてはハトメに
限らず強力な接着剤等を用いることができる。
（ロ）接合板（１）に穴を設けて、撚り戻し金具を先端に設けた吊り紐（４）を
装着する。
（ハ）２枚のＣＤ（３）の表中心部に目玉シール（２）を貼付。
本発明は以上のような構造で、これを使用するときは、被害から守りたい物の付近の鳥の目に入りやすい場所を選んで、風に揺れても物に接触しない位置に吊り下げる。するとＣＤ（３）はハの字に設けてあるので、図３に示すように上空広範囲に、光模様と反射光を照射する。
又図２に示すように、接合板（１）を、鳥形（１′）にすると、より効果的である。又接合板（１′）は、図４に示す装着ボタン（５）を、装着穴（６）に装着することにより、平面的な形が、図５の立体感のある鳥形になる。
又図６に示すように羽（７）を装着すると、羽をひろげた鳥形になり、羽が風にゆれると、羽ばたきをして飛び立つ行動にみえる。
【０００６】
【発明の効果】
以上のような構成であるから、紐で吊り下げられた本発明の鳥追具は、風による動きや視角の違いにより多種多様の光模様を作り出すと共に、反射光を上空広範囲に放射し鳥を威嚇する。
ＣＤのこれらの機能は鳥にとっていずれも不測の現象であり、学習しづらく、結果として長期間に渡る防止効果が得られる。
【図面の簡単な説明】
【図１】本発明の斜視図
【図２】本発明の接合板１を鳥形（１′）にした斜視図
【図３】本発明の使用状態を示す図
【図４】本発明の展開平面図
【図５】本発明の図４を組立てた斜視図
【図６】本発明の図５に羽をつけた斜視図
【符号の説明】
１　接合板
２　目玉シール
３　ＣＤ
４　吊り紐
５　装着ボタン
６　装着穴
７　羽
【図１】
2004008193.tif 000003
【図２】
2004008193.tif 000004
【図３】
2004008193.tif 000005
【図４】
2004008193.tif 000006
【図５】
2004008193.tif 000007
【図６】
2004008193.tif 000008